(57)【要約】【課題】運転席の前側に接近して穀稈引起し装置を配設しコンバインにおいて、引起しラグによって脱粒された穀粒等が運転席まで飛散するのを防止する。【解決手段】運転席（５）の前側に接近して立毛穀稈を引き起す複数の引起し装置（８，…）を配設してあるコンバインにおいて、各引起し装置（８，…）の上方で、且つ、引き起し経路（Ｋ）に沿って回転移行する引起しラグ（１４）の上部回転軌跡の上方を覆う引起しカバー体（１５）を設け、該引起しカバー体（１５）を前側引起しカバー（１５ａ）と後側引起しカバー（１５ｂ）とに分割して形成し、該後側引起しカバー（１５ｂ）に前側引起しカバー（１５ａ）を左右方向の軸（１５ｃ）回りに回動調節自在に軸支する。【選択図】図４
2011229449.tif 000002
【特許請求の範囲】
【請求項１】
運転席（５）の前側に接近して立毛穀稈を引き起す複数の引起し装置（８，…）を配設してあるコンバインにおいて、各引起し装置（８，…）の上方で、且つ、引き起し経路（Ｋ）に沿って回転移行する引起しラグ（１４）の上部回転軌跡の上方を覆う引起しカバー体（１５）を設け、該引起しカバー体（１５）を前側引起しカバー（１５ａ）と後側引起しカバー（１５ｂ）とに分割して形成し、該後側引起しカバー（１５ｂ）に前側引起しカバー（１５ａ）を左右方向の軸（１５ｃ）回りに回動調節自在に軸支したことを特徴とするコンバイン。
【請求項２】
前記後側引起しカバー（１５ｂ）を、引起し装置（８，…）の後側上方部位において左右方向に設けた支軸（１６）で上下に回動調節自在に軸支したことを特徴とする請求項１記載のコンバイン。
【請求項３】
前記引起し装置（８，…）の左右両サイドに配置されている左右サイドカバー（１８，１８）を上部サイドカバー（１８ａ）と下部サイドカバー（１８ｂ）とに夫々上下に分割し、上部サイドカバー（１８ａ）の下部を下部サイドカバー（１８ｂ）の上部に重合状態に配置可能に構成し、前記後側引起しカバー（１５ｂ）の左右両側部に左右上部サイドカバー（１８ａ，１８ａ）を一体的に取り付けたことを特徴とする請求項１または請求項２記載のコンバイン。
【請求項４】
前記前側引起しカバー（１５ａ）の全体あるいは一部を透明板体で構成したことを特徴とする請求項１または請求項２または請求項３記載のコンバイン。
【発明の詳細な説明】
【技術分野】
【０００１】
この発明は、コンバインに関する。
【背景技術】
【０００２】
特許文献１に示された従来技術は、３基以上の引起し装置のうち、中間の引起し装置を除く左右両側の引起し装置の上部どうしを各引起し装置への動力分配手段の内装空間を有しない上部連結部材で連結し、この上部連結部材を、隣接する引起し装置どうしの間に形成される引起し経路の上側に位置する部分では、引起し経路を迂回し、かつ、引起し爪の引起し行程終端箇所の爪回動面の延長面と交差するように、前後方向幅が爪回動面に沿う方向の幅よりも広い部材で構成したものである。
【先行技術文献】
【特許文献】
【０００３】
【特許文献１】特開２００２−１７６８２５号公報（図１、図８、図９）
【発明の概要】
【発明が解決しようとする課題】
【０００４】
運転席の前側に接近して穀稈引起し装置を配設したものでは、引起し装置の上部と上部連結部材との間に空間部が介在しているものでは、引起しラグによって脱粒された穀粒が運転席まで飛散したり、塵埃がオペレータに飛散するという問題が発生する。
【０００５】
本発明の課題は、かかる問題を解消することを目的とする。
【課題を解決するための手段】
【０００６】
この発明は、上記課題を解決すべく次のような技術的手段を講じた。
請求項１記載の発明は、運転席（５）の前側に接近して立毛穀稈を引き起す複数の引起し装置（８，…）を配設してあるコンバインにおいて、各引起し装置（８，…）の上方で、且つ、引き起し経路（Ｋ）に沿って回転移行する引起しラグ（１４）の上部回転軌跡の上方を覆う引起しカバー体（１５）を設け、該引起しカバー体（１５）を前側引起しカバー（１５ａ）と後側引起しカバー（１５ｂ）とに分割して形成し、該後側引起しカバー（１５ｂ）に前側引起しカバー（１５ａ）を左右方向の軸（１５ｃ）回りに回動調節自在に軸支したことを特徴とするコンバインとする。
【０００７】
請求項２記載の発明は、前記後側引起しカバー（１５ｂ）を、引起し装置（８，…）の後側上方部位において左右方向に設けた支軸（１６）で上下に回動調節自在に軸支したことを特徴とする請求項１記載のコンバインとする。
【０００８】
請求項３記載の発明は、前記引起し装置（８，…）の左右両サイドに配置されている左右サイドカバー（１８，１８）を上部サイドカバー（１８ａ）と下部サイドカバー（１８ｂ）とに夫々上下に分割し、上部サイドカバー（１８ａ）の下部を下部サイドカバー（１８ｂ）の上部に重合状態に配置可能に構成し、前記後側引起しカバー（１５ｂ）の左右両側部に左右上部サイドカバー（１８ａ，１８ａ）を一体的に取り付けたことを特徴とする請求項１または請求項２記載のコンバインとする。
【０００９】
請求項４記載の発明は、前記前側引起しカバー（１５ａ）の全体あるいは一部を透明板体で構成したことを特徴とする請求項１または請求項２または請求項３記載のコンバインとする。
【発明の効果】
【００１０】
請求項１記載の発明によれば、引起し時に穀粒の飛散が多発したり、埃の発生する作物に対しては、前側引起しカバー（１５ａ）を前方へ突出するように回動し、この前側引起しカバー（１５ａ）によって穀粒や塵埃の飛散を防止しながら作業をすることができる。また、穀粒や埃の飛散しない作物に対しては、前側引起しカバー（１５ａ）を後側に回動し後側引起しカバー（１５ｂ）に沿わせて収納することにより、オペレータの前方視界を良くしながら作業をすることができる。
【００１１】
請求項２記載の発明によれば、上記請求項１記載の発明の効果に加えて、引起しカバー体（１５）の後側引起しカバー（１５ｂ）は、左右方向の支軸回りに開閉回動する構成であるため、引起しカバー体（１５）の開閉操作を簡単に行なうことができる。また、引起しカバー体（１５ｂ）を上方に開けた場合には、オペレータ側への穀粒の飛散を良好に阻止し、また、引起しカバー体（１５ｂ）を下方に閉回動すると、オペレータの前方視界を良くすることができる。
【００１２】
請求項３記載の発明によれば、上記請求項１又は請求項２記載の発明の効果に加えて、引起しカバー体（１５）の後側引起しカバー（１５ｂ）の左右両側に左右上部サイドカバー（１８ａ，１８ａ）を一体化した構成であるため、左右上部サイドカバー（１８ａ，１８ａ）を簡単に着脱することができ、刈取部（４）のメンテナンスを左右両側から容易に行うことができる。
【００１３】
請求項４記載の発明によれば、上記請求項１又は請求項２又は請求項３記載の発明の効果に加えて、前側引起しカバー（１５ａ）の透明板体の部分から分草杆周辺などの前方の作業状態を見ることができ、オペレータの前方視界を向上させることができる。
【図面の簡単な説明】
【００１４】
【図１】コンバインの側面図
【図２】コンバインの前側部の平面図
【図３】コンバインの正面図
【図４】穀稈引起し装置の側面図
【図５】刈取部の側面図
【図６】刈取部後部の正面図
【図７】穀稈引起し装置の側面図
【図８】穀稈引起し装置の側面図
【図９】穀稈引起し装置の上部の側面図
【図１０】コンバインの前側部の平面図
【図１１】コンバインの側面図
【図１２】コンバインの前側部の平面図
【図１３】コンバインの正面図
【図１４】穀稈引起し装置の上部の側面図
【発明を実施するための形態】
【００１５】
この発明の実施例を図面に基づき説明する。
図１乃至図３は、本発明を備えたコンバインを示すものであり、この走行車体１には、左右一対の走行クローラ２，２を備え、後部に搭載した脱穀装置３の前方部に刈取部４を設置し，刈取部４の横側部には運転席５や操作ボックス６等を備えた運転操作部を配設し、更に、その運転操作部の後方には脱穀粒を一時的に貯留するグレンタンクＧを装備している。
【００１６】
刈取部４は、立毛する穀稈を左右に分草する分草体７，７…と、分草後の穀稈を引き起す４条の穀稈引起し装置８，…と、引起し後の穀稈を刈り取る刈取装置９と、刈取後の穀稈を掻込搬送する掻込搬送装置（図示省略），掻込搬送後の穀稈を引き継いで揚上搬送しながら姿勢変更して脱穀装置３に受け渡し供給する揚上搬送供給装置（図示省略）等からなり、車体に対し上下に昇降可能に装備している。
【００１７】
穀稈引起し装置８は、引起しチエンを内装し前後に分割可能な前側引起しケース１２，後側引起しケース１３と、後側引起しケース１３から引起し経路Ｋ側に突出して穀稈を引き起す引起しラグ１４，…とから構成されている。
【００１８】
前側引起しケース１２は、後側引起しケース１３に対し着脱自在に取り付けできる構成としてあり、前側引起しケース１２を長手方向に沿って上方に引き上げると、係止ロック手段が解除され、前側に取り外しできるようになっている。各前側引起しケース１２，…の上端側１２ｕは、側面視で下端側の後上り傾斜角度よりも後上り傾斜角度が緩傾斜となるように屈曲形成されていて、運転席５にオペレータが着座した姿勢での作業における分草位置近傍の視界を良好にしている。また、運転席５からオペレータが起立した姿勢での作業においては、分草位置が更に良く見えるように構成している。
【００１９】
そして、各引起し装置８，…の上部は、左右横方向に長く構成された引起しカバー体１５によって被覆される構造になっている。
引起し装置８，…の左右両サイドに配置されたサイドカバー１８，１８は、上部サイドカバー１８ａと下部サイドカバー１８ｂとに分割構成されていて、上部サイドカバー１８ａは、下部サイドカバー１８ｂの左右両側の上側面及び左右外側面上に重合するこうせいである。そして、前記引起しカバー体１５の後側引起しカバー１５ｂの左右両側部に左右上部サイドカバー１８ａ，１８ａが一体的に取り付けられていて、引起しカバー体１５の後側引起しカバー１５ｂが左右方向の軸１６回りに上下に揺動開閉可能に構成されている。しかして、後側引起しカバー１５ｂと共に左右サイドカバー１８ａ，１８ａは揺動開閉する構成である。
【００２０】
また、引起しカバー体１５及び左右上部サイドカバー１８ａ，１８ａを上方に開動させないで下方に閉回動した状態では、前側引起しケース１２及び左右下部サイドカバー１８ｂ，１８ｂの取り外しができなく、下方への閉回動によってロック機構の役目を果たす構造になっている。
【００２１】
そして、このカバー体１５の姿勢変更手段として、前後上下のスライド構成とすることもできる。しかし、本実施例では、図４に示すように、該カバー体１５が引起し装置８，…の背部側上方で左右横方向に架設された支軸１６を回動支点として上下に揺動開閉するように構成されている。カバー体１５の上方への開側回動が引起し経路Ｋの上方をカバーする姿勢変更状態であり、下方への閉側回動が前側引起しケース１２の上端側１２ｕ前面をカバーする姿勢変更状態となる。
【００２２】
カバー体１５の開閉係止構成は、図４に示すように、後側引起しケース１３のフレーム部に引張スプリング１７の下端を取り付け、引張スプリング１７の上端を引起しカバー体１５の後側引起しカバー１５ｂの回動支点付近に取り付け、引起しカバー体１５が支軸１６の支点に対して閉側と開側に回動すると、スプリング１７の上端が支点越えをし張力方向を切り替えて、ワンタッチで揺動開閉を係止することができる。
【００２３】
前記構成によると、前側引起しカバー１５ａを上方へ回動すると、前側引起しケース１２の上端側１２ｕ前面をカバーする状態となり、穀稈引起し装置８，…の全幅の広範囲にわたり防塵することができ、オペレータを埃から守ることができると共に、穀稈引起し装置８，…で脱粒した籾がオペレータに飛散するのを防止することができる。また、前側引起しカバー１５ａを下方へ回動すると、引起しラグ１４における引起し経路Ｋの上方をカバーする状態となる。
【００２４】
また、図５及び図６に示すように、刈取部４を支持する刈取メインフレーム２１は、刈取懸架台２２に架設された刈取入力軸２３を支点として上下に回動する構成であり、刈取昇降シリンダ２４の伸縮作動により刈取部４が昇降するようになっている。刈取メインフレーム２１の変速ギヤケース２６よりも下方の中央部と、刈取入力軸２３の軸受部との間をＬ型補強フレーム２７で連結して強化し、衝突による捩れや、破損を防止するように構成している。また、補強フレーム２７の内側に昇降シリンダ２４の取付部及びフローティングスプリング２５の設置部を設けておくと、衝突時の捩れ応力によるシリンダ・フローティングスプリングの変形、破損を防止することができる。各操作ワイヤ・ハーネス・ホース等の配策部２８を刈取メインフレーム２１から補強フレーム２７に沿わせて設けることにより、上下回動時の屈曲、各部への干渉を防止することができる。
【００２５】
また、前記Ｌ型補強フレーム２７は、刈取メインフレーム２１と側面視で平行とし、そして、この補強フレーム２７と刈取メインフレーム２１との間には、供給上下モータ２９により揚上搬送供給装置（図示省略）の始端側を上下動させる上下リンク３０を介装することで、上下リンクの保護を図るようにしている。
【００２６】
また、図４に示すように、引起しカバー体１５は前側引起しカバー１５ａと後側引起しカバー１５ｂとに分割構成されていて、後側引起しカバー１５ｂの前側端部に左右方向の軸１５ｃにより前側引起しカバー１５ａの前端部が軸支されていて、前側引起しカバー１５ａを上下回動できるように構成している。
【００２７】
しかして、埃の発生しない作物に対しては、後側引起しカバー１５ｂを下方に回動し、前側引起しカバー１５ａを図４の仮想線に示すように、後側引起しカバー１５ｂの下面に沿わせて収納することにより、オペレータの前方視界を良くし、長い穀稈の穂先部を前側引起しカバー１５ａに衝突させずに引き起こすことができる。また、コンバインを格納、移動する場合には、後側引起しカバー１５ｂの下方に前側引起しカバー１５ａを収納することで、コンパクトになり場所を取らず、また、安全である。
【００２８】
また、後側引起しカバー１５ｂの前側端部に左右方向の軸１５ｃにより前側引起しカバー１５ａの前端部を軸支するにあたり、軸１５ｃを穀稈引起し装置８，…の引起しケースの前側部上方に配置し、引起しケースの穀稈の搬送通路には配置しないようにすると、前側引起しカバー１５ａ，後側引起しカバー１５ｂ及び軸１５ｃが穀稈の引起しの障害とならず、円滑に引き起こすことができる。
【００２９】
また、図７に示すように、左右上部サイドカバー１８ａ，１８ａと後側引起しカバー１５ｂを上方に回動開放し、折り畳んでいる前側引起しカバー１５ａを前方に張り出すことにより、広い範囲の防塵作用を行なうことができる。この状態では、前側引起しカバー１５ａと後側引起しカバー１５ｂにより穀稈引起し装置８の上端部を閉鎖した状態で前方へ突出させることができ、防塵効果を向上させることができる。また、左右上部サイドカバー１８ａ，１８ａと後側引起しカバー１５ｂを下方に回動し閉鎖収納状態とすることができる。
【００３０】
また、図８に示すように、左右上部サイドカバー１８ａ，１８ａと後側引起しカバー１５ｂを上方に回動し開放した状態とし、後側引起しカバー１５ｂの下面に沿うように前側引起しカバー１５ａを折り畳んだ状態で、刈取作業をすることができる。
【００３１】
しかして、通常の穀稈長さの場合には、前側引起しカバー１５ａを閉鎖した状態で、穀稈の穂先部が前側引起しカバー１５ａと干渉しないようにし、防塵効果を高めながら作業をすることができる。また、長い穀稈の場合には、前側引起しカバー１５ａを閉鎖した状態で、穀稈の穂先部が前側引起しカバー１５ａに干渉しないようにしながら作業をすることができる。
【００３２】
また、図９に示すように、前側引起しカバー１５ａを、伸縮可能に構成すると、前側引起しカバー１５ａの前方への突出長さを長くすることができ、防塵性能を高めることができる。
【００３３】
また、前側引起しカバー１５ａを透明板体で構成すると、オペレータの前方視界を向上させることができる。
また、図１０に示すように、前側引起しカバー１５ａに透明板体の窓１５ａ１をで左右方向に沿わせて設けると、オペレータの前方視界を向上させることができる。
【００３４】
次に、図１１乃至図１４に基づき引起しカバー体１５の他の実施例について説明する。
後側引起しカバー１５ｂの前側端部に左右方向の軸１５ｃにより前側引起しカバー１５ａの前端部を軸支し、この前側引起しカバー１５ａを、図１４に示すように、時計方向に回動して後側引起しカバー１５ｂの上側面に沿うように接触した状態で収納したり、また、仮想線で示すように、前側引起しカバー１５ａを前方へ突出するように回動し、前側引起しケース１２の上端側１２ｕ前面を被覆する状態とし、穀稈引起し装置８，…全幅の広範囲にわたり防塵するように構成している。
【００３５】
前記構成によると、前側引起しケース１２を取り外さずに、前側引起しカバー１５ａを後側引起しカバー１５ｂに重ねるように収納することができ、前側引起しカバー１５ａの開閉操作が容易となる。
【符号の説明】
【００３６】
５    運転席
８    穀稈引起し装置
１２    引起しケース（前側）
１２ｕ  前側引起しケースの上端側前面
１４    引起しラグ
１５    引起しカバー体
１５ａ  前側引起しカバー
１５ｂ  後側引起しカバー
１５ｃ  軸
１６    支軸
１８    サイドカバー
１８ａ  上部サイドカバー
１８ｂ  下部サイドカバー
Ｋ    引き起し経路
【図１】
2011229449.tif 000003
【図２】
2011229449.tif 000004
【図３】
2011229449.tif 000005
【図４】
2011229449.tif 000006
【図５】
2011229449.tif 000007
【図６】
2011229449.tif 000008
【図７】
2011229449.tif 000009
【図８】
2011229449.tif 000010
【図９】
2011229449.tif 000011
【図１０】
2011229449.tif 000012
【図１１】
2011229449.tif 000013
【図１２】
2011229449.tif 000014
【図１３】
2011229449.tif 000015
【図１４】
2011229449.tif 000016